(57)【要約】【課題】濃度によるスペクトルパターン変動の影響を抑えた波長スペクトルの比較を行うことのできるスペクトルデータ処理装置を提供する。【解決手段】波長と強度をそれぞれ軸とするスペクトルのデータを処理するスペクトルデータ処理装置において、測定対象試料のスペクトルである目的スペクトルの大きさを特定する大きさ特定部４５と、既知成分について、各々異なる濃度の該既知成分に関する複数のスペクトルから成るスペクトルセットを記憶したスペクトルセット記憶部４４から、前記スペクトルセットに含まれる複数のスペクトルの中で前記目的スペクトルに最も大きさが近いスペクトルを抽出するスペクトル抽出部４６と、前記目的スペクトルとスペクトル抽出部４６により抽出されたスペクトルとの類似度を算出する類似度算出部４７とを設ける。【選択図】図４
2017201241.tif 000002
【特許請求の範囲】
【請求項１】
波長と強度をそれぞれ軸とするスペクトルのデータを処理するデータ処理装置であって、
a)測定対象試料のスペクトルである目的スペクトルの大きさを特定する大きさ特定手段と、
b)既知成分に関し、各々異なる濃度で取得された該既知成分の複数のスペクトルから成るスペクトルセットを記憶したスペクトルセット記憶手段から、前記スペクトルセットに含まれる複数のスペクトルの中で前記目的スペクトルに最も大きさが近いスペクトルを抽出するスペクトル抽出手段と、
c)前記目的スペクトルと前記スペクトル抽出手段により抽出されたスペクトルとの類似度を算出する類似度算出手段と、
を有することを特徴とするスペクトルデータ処理装置。
【請求項２】
波長と強度をそれぞれ軸とするスペクトルのデータを処理するデータ処理装置であって、
a)測定対象試料のスペクトルである目的スペクトルの大きさを特定する大きさ特定手段と、
b)既知成分に関し、各々異なる濃度で取得された該既知成分の複数のスペクトルから成るスペクトルセットに基づき、スペクトルの大きさが前記目的スペクトルの大きさと等しくなる濃度における前記既知成分のスペクトルを作成するスペクトル作成手段と、
c)前記目的スペクトルと前記スペクトル作成手段で作成されたスペクトルとの類似度を算出する類似度算出手段と、
を有することを特徴とするスペクトルデータ処理装置。
【請求項３】
更に、
d)所定の既知成分について、種々の濃度で取得された該既知成分についての複数のスペクトルから成るスペクトルセットに基づき、任意の濃度における該既知成分の推定スペクトルを作成すると共に、該推定スペクトルの大きさが前記目的スペクトルの大きさと等しくなるときの該既知成分の濃度を求め、該濃度を前記目的スペクトルに対応する成分の濃度として推定する濃度推定手段、
を有することを特徴とする請求項１又は２に記載のスペクトルデータ処理装置。
【請求項４】
更に、
d)所定の既知成分について、種々の濃度で取得された該既知成分についての複数のスペクトルから成るスペクトルセットに基づき、任意の濃度における該既知成分の推定スペクトルを作成すると共に、該推定スペクトルと前記目的スペクトルとの差スペクトルの大きさが最小となるときの前記所定の既知成分の濃度を求め、該濃度を前記目的スペクトルに対応する成分の濃度として推定する濃度推定手段、
を有することを特徴とする請求項１又は２に記載のスペクトルデータ処理装置。
【請求項５】
コンピュータを請求項１〜４のいずれかに記載のスペクトルデータ処理装置における各手段として機能させるためのプログラム。
【請求項６】
波長と強度をそれぞれ軸とするスペクトルのデータを処理するスペクトルデータ処理方法であって、
a)測定対象試料のスペクトルである目的スペクトルの大きさを特定する大きさ特定ステップと、
b)既知成分に関し、各々異なる濃度で取得された該既知成分の複数のスペクトルから成るスペクトルセットを記憶したスペクトルセット記憶手段から、前記スペクトルセットに含まれる複数のスペクトルの中で前記目的スペクトルに最も大きさが近いスペクトルを抽出するスペクトル抽出ステップと、
c)前記目的スペクトルと前記スペクトル抽出ステップにより抽出されたスペクトルとの類似度を算出する類似度算出ステップと、
を有することを特徴とするスペクトルデータ処理方法。
【請求項７】
波長と強度をそれぞれ軸とするスペクトルのデータを処理するスペクトルデータ処理方法であって、
a)測定対象試料のスペクトルである目的スペクトルの大きさを特定する大きさ特定ステップと、
b)既知成分に関し、各々異なる濃度で取得された該既知成分の複数のスペクトルから成るスペクトルセットに基づき、スペクトルの大きさが前記目的スペクトルの大きさと等しくなる濃度における該既知成分のスペクトルを作成するスペクトル作成ステップと、
c)前記目的スペクトルと前記スペクトル作成ステップで作成されたスペクトルとの類似度を算出する類似度算出ステップと、
を有することを特徴とするスペクトルデータ処理方法。
【発明の詳細な説明】
【技術分野】
【０００１】
本発明は、例えば溶出試験装置などの分析装置を用いた試料の分析で得られた波長スペクトルのデータを処理するためのスペクトルデータ処理装置に関する。
【背景技術】
【０００２】
溶出試験は、内服用固形製剤である医薬品の品質を一定水準に確保し、生物学的非同等性を防ぐことを図るための試験の一つであり、日本薬局方等にその試験方法が規定されている。こうした溶出試験を行う装置（溶出試験装置）は、試験対象である固形製剤を溶媒中に溶解させるとともにその溶出液を決まった経過時間毎に採取する溶出処理部と、採取された溶出液に対して所定の測定を行う溶出液測定部から成り、従来、前記溶出液測定部として液体クロマトグラフを用いた液体クロマトグラフ溶出試験装置（以下、ＬＣ溶出試験装置と称す）が知られている（例えば特許文献１を参照）。前記ＬＣ溶出試験装置では、溶出処理部で採取された溶出液を液体クロマトグラフのカラムに導入して成分毎に分離した上で検出器に導入する。このとき、該検出器としてＰＤＡ検出器などのマルチチャンネル型の光検出器を備えた紫外可視分光光度計、赤外分光光度計、近赤外分光光度計、又は蛍光分光光度計（以下、単に分光光度計と総称する）を用いることにより、横軸を波長とし、縦軸を強度（信号強度や吸光度）とした波長スペクトルを得ることができる。
【０００３】
得られた波長スペクトルはパーソナルコンピュータ等から成るデータ処理装置に送られ、該データ処理装置において該波長スペクトルを基に前記固形製剤から溶出した成分の同定や定量などの処理が行われる。すなわち、所定の時間間隔で得られる複数の波長スペクトルに基づいて、横軸を時間とし、縦軸を強度としたクロマトグラムが作成され、そのクロマトグラム上に現れるピーク（以下「クロマトピーク」とよぶ）の面積や高さから前記固形製剤の溶出率が算出される。更に、一つの固形製剤に対する時間経過に伴う溶出率をグラフ化することにより溶出曲線を作成することができる。また、前記クロマトピークが出現している時間範囲のいずれかの時刻（例えばピークトップの時刻）における波長スペクトルを、予め同定テーブルに登録された既知物質の波長スペクトルと比較することにより、該クロマトピークに対応する成分を同定することができる。
【先行技術文献】
【特許文献】
【０００４】
【特許文献１】特開平5-87819号公報
【特許文献２】特開昭61-111425号公報
【発明の概要】
【発明が解決しようとする課題】
【０００５】
上記のようなスペクトルの比較による成分同定は、同一成分であれば波長スペクトルのパターンが相似形となることを前提としている。しかしながら、実際には、同一成分に由来するものであっても、その成分濃度によってスペクトルパターンが微妙に変化する。例えば、図１１に示す波長スペクトルは、３種類の濃度（10 ppm, 100 ppm, 200 ppm）のカフェインについて得られた波長スペクトルを縦軸方向に拡大又は縮小して重畳したものである。これらのスペクトルは理想的には完全に一致するはずであるが、実際には同図から明らかなように、スペクトルパターンに差異が生じている。これは、試料の濃度によって迷光による影響を受ける度合いが変化するためである。すなわち、試料濃度が低い場合は該試料を透過して検出器に入射する光の強度が大きいため、検出器からの出力信号に占める迷光由来の信号成分の割合は小さくなる。一方、試料濃度が高い場合は該試料を透過して検出器に入射する光の強度が小さくなるため、検出器からの出力信号に占める迷光由来の信号成分の割合が相対的に大きくなることとなる。
【０００６】
こうした試料濃度によるスペクトルパターンの差異は僅かなものであるため、スペクトルパターンが大きく異なる成分同士を比較する際には無視することができる。しかし、スペクトルパターンがよく似た成分同士を区別するためには、こうした差異を考慮したスペクトル比較を行う必要がある。
【０００７】
なお、ここではＬＣ溶出試験装置によって得られた波長スペクトルの処理を例に挙げたが、このほか、溶出処理部から採取された溶出液をカラムで分離することなく、ＰＤＡ検出器などのマルチチャンネル型の光検出器を備えた分光光度計や、高速での波長走査が可能な分光光度計（例えば紫外可視分光光度計）に直接導入して成分分析を行う分光光度計溶出試験装置によって得られた波長スペクトルの処理や、溶出試験以外で取得した試料についてＨＰＬＣ分析や分光光度計への直接導入による分析を行って得られた波長スペクトルの処理においても同様の問題が生じる。
【０００８】
本発明は上記の点に鑑みて成されたものであり、その目的とするところは、濃度によるスペクトルパターン変動の影響を抑えた波長スペクトルの比較を行うことのできるスペクトルデータ処理装置を提供することにある。
【課題を解決するための手段】
【０００９】
上記課題を解決するために成された第１発明に係るスペクトルデータ処理装置は、
波長と強度をそれぞれ軸とするスペクトルのデータを処理するデータ処理装置であって、
a)測定対象試料のスペクトルである目的スペクトルの大きさを特定する大きさ特定手段と、
b)既知成分に関し、各々異なる濃度で取得された該既知成分の複数のスペクトルから成るスペクトルセットを記憶したスペクトルセット記憶手段から、前記スペクトルセットに含まれる複数のスペクトルの中で前記目的スペクトルに最も大きさが近いスペクトルを抽出するスペクトル抽出手段と、
c)前記目的スペクトルと前記スペクトル抽出手段により抽出されたスペクトルとの類似度を算出する類似度算出手段と、
を有することを特徴としている。
【００１０】
なお、前記スペクトルの「大きさ」とは、該スペクトルにおける強度の代表値を意味している。ここで、前記「強度の代表値」は、例えば、該スペクトル中の所定の波長範囲における信号強度の最大値や、該所定波長範囲における該スペクトルの面積値、又は該スペクトルの内積の平方根等とすることができる。
【００１１】
上記構成から成る第１発明に係るスペクトルデータ処理装置では、既知成分について予め複数の濃度におけるスペクトルが取得され、これらが該既知成分に関するスペクトルセットとして前記スペクトルセット記憶手段に記憶されている。そして、スペクトルパターンの比較を行う際に、前記スペクトルセットの中で目的スペクトルに最も大きさが近いスペクトルを抽出してこれを目的スペクトルとの類似度計算に使用する。ここで、スペクトルの「大きさ」は、該スペクトルが取得された際の試料の濃度に依存するため、上記のように大きさの近いスペクトル同士を比較する構成とすることにより、濃度差の影響を抑えた確度の高いスペクトルパターン比較を行うことが可能となる。なお、上述のような迷光による検出信号への影響の大きさは、試料濃度だけでなく、試料の測定を行う装置の構成（例えば光学素子の種類や配置など）によっても異なってくる。そのため、前記スペクトルセットに含まれる各スペクトルは、前記目的スペクトルの取得に用いる測定装置と同一の装置又は同一構成の装置（例えば同一機種の装置）によって取得したものとすることが望ましい。
【００１２】
なお、前記スペクトルセット記憶手段は、本発明に係るスペクトルデータ処理装置に含まれるものであってもよく、あるいは該スペクトルデータ処理装置と直接又はネットワークを介して接続された外部装置に含まれるものとしてもよい。
【００１３】
また、該スペクトルセット記憶手段は、一つの既知成分に関するスペクトルセットのみを記憶したものであってもよく、複数の既知成分に関する複数のスペクトルセットを記憶したものであってもよい。
例えば、上述の溶出試験において検出すべき成分が予め一つの既知成分に決まっているような場合には、前記スペクトルセット記憶手段に該一つの既知成分に関するスペクトルセットのみを記憶しておく。そして、前記スペクトル抽出手段は、該一つのスペクトルセットの中から大きさが目的スペクトルに最も近いスペクトルを抽出して、抽出されたスペクトルと目的スペクトルとの類似度を前記類似度算出手段によって算出する。これにより、前記目的スペクトルに対応する成分が前記一つの既知成分と同一の成分であるかどうかを確認することができる。
一方、例えば、上述の溶出試験において検出すべき成分が複数ある場合には、前記スペクトルセット記憶手段に複数の既知成分に関する複数のスペクトルセットを記憶しておく。そして、前記スペクトル抽出手段が、該複数のスペクトルセットのそれぞれから、目的スペクトルに大きさが最も近いスペクトルを抽出し、更に前記類似度算出手段が、前記スペクトル抽出手段によって抽出された複数の既知成分に関するスペクトルをそれぞれ目的スペクトルと比較して類似度を算出する。これにより、前記複数の既知成分の中から前記目的スペクトルに対応する成分と同一又は最も類似した成分を特定することができる。
【００１４】
また、上記課題を解決するために成された第２発明に係るスペクトルデータ処理装置は、
波長と強度をそれぞれ軸とするスペクトルのデータを処理するデータ処理装置であって、
a)測定対象試料のスペクトルである目的スペクトルの大きさを特定する大きさ特定手段と、
b)既知成分に関し、各々異なる濃度で取得された該既知成分の複数のスペクトルから成るスペクトルセットに基づき、スペクトルの大きさが前記目的スペクトルの大きさと等しくなる濃度における前記既知成分のスペクトルを作成するスペクトル作成手段と、
c)前記目的スペクトルと前記スペクトル作成手段で作成されたスペクトルとの類似度を算出する類似度算出手段と、
を有するものであってもよい。
【００１５】
上記構成から成る第２発明に係るスペクトルデータ処理装置では、既知成分について予め種々の濃度で取得されたスペクトルから成るスペクトルセットに基づき、前記目的スペクトルと大きさが等しくなるような濃度における該既知成分のスペクトルを作成し、これを前記目的スペクトルとの類似度算出に用いる。上述の通り、スペクトルの「大きさ」は、該スペクトルが取得された際の試料の濃度に依存する。そのため前記第２発明の構成により、濃度差の影響を抑えた確度の高いスペクトルパターン比較を行うことが可能となる。
【００１６】
更に、上記第１発明又は第２発明に係るスペクトルデータ処理装置は、
d)所定の既知成分について、種々の濃度で取得された該既知成分についての複数のスペクトルから成るスペクトルセットに基づき、任意の濃度における該既知成分の推定スペクトルを作成すると共に、該推定スペクトルの大きさが前記目的スペクトルの大きさと等しくなるときの該既知成分の濃度を求め、該濃度を前記目的スペクトルに対応する成分の濃度として推定する濃度推定手段、
を有するものとすることができる。
【００１７】
あるいは、上記第１発明又は第２発明に係るスペクトルデータ処理装置は、
d)所定の既知成分について、種々の濃度で取得された該既知成分についての複数のスペクトルから成るスペクトルセットに基づき、任意の濃度における該既知成分の推定スペクトルを作成すると共に、該推定スペクトルと前記目的スペクトルとの差スペクトルの大きさが最小となるときの前記所定の既知成分の濃度を求め、該濃度を前記目的スペクトルに対応する成分の濃度として推定する濃度推定手段、
を有するものとすることもできる。
【００１８】
これらの構成により、例えば前記類似度算出手段による類似度算出の結果、前記目的スペクトルに対応する成分と同一又は類似すると推定された既知成分を上記の「所定の既知成分」として前記濃度推定手段による濃度推定を行うことにより、従来のようにクロマトピークの高さや面積を求めることなしに、前記目的スペクトルに対応する成分の定量を行うことが可能となる。
【発明の効果】
【００１９】
以上の通り、上記第１発明又は第２発明に係るスペクトルデータ処理装置によれば、濃度によるスペクトルパターン変動の影響を抑えた波長スペクトルの比較を行うことが可能となる。
【図面の簡単な説明】
【００２０】
【図１】本発明の第１実施形態に係る溶出試験システムのブロック図。
【図２】同実施形態における溶出処理部の概略構成図。
【図３】同実施形態における溶出液測定部の概略構成図。
【図４】同実施形態における制御／処理部の要部構成を示す図。
【図５】同実施形態における同定テーブルの一例を示す図。
【図６】同実施形態における同定処理の手順を示すフローチャート。
【図７】本発明の第２実施形態における制御／処理部の要部構成を示す図。
【図８】同実施形態における同定処理の手順を示すフローチャート。
【図９】第１実施形態又は第２実施形態の溶出試験システムにおける溶出液測定部の別の例を示す図。
【図１０】液体クロマトグラフにより得られる３次元データの概念図（ａ）及び波長クロマトグラムの一例を示す図（ｂ）。
【図１１】濃度によるスペクトルパターンの変動の一例を示す図。
【発明を実施するための形態】
【００２１】
以下、本発明を実施するための形態について図面を参照しつつ説明を行う。
【００２２】
［実施形態１］
図１は、本発明の一実施形態に係るスペクトルデータ処理装置を備えた溶出試験システムの概略構成図である。この溶出試験システムは、試験対象である固形製剤を溶媒中に溶出させると共に、該固形製剤が溶出した溶媒（以下溶出液とよぶ）を定期的又は任意の時刻に採取する溶出処理部１０と、紫外可視分光光度計から成り、溶出処理部１０で採取された溶出液を分光測定する溶出液測定部２０と、前記各部の動作を制御すると共に溶出液測定部２０で得られた測定データの処理を行う制御／処理部３０（本発明のスペクトルデータ処理装置に相当）を備えている。溶出処理部１０と溶出液測定部２０の間には溶出処理部１０で採取された溶出液を溶出液測定部２０に送るための送液流路５０が設けられている。
【００２３】
溶出処理部１０の構成の一例を図２に示す。なお同図の一部は垂直断面図として描かれている。この溶出処理部１０には、上部に容器保持口１１ａを有する槽体である貯水槽１１を有し、該貯水槽１１の底部にはヒータ１２及び温度センサ１３が配設されている。温度センサ１３としては、例えば熱電対や白金抵抗等を用いて構成されたものが用いられる。貯水槽１１の容器保持口１１ａには、日本薬局方の規定に従って作成された試験容器１４がセットされる。試験容器１４は、外から錠剤の溶解状態を観察できるようにするため、ガラス製とするのが一般的である。試験容器１４には、棒状の軸体１５ａの下部側面に一対の翼体１５ｂを互いに逆方向に向けて固定して成るステンレス製の撹拌子（パドル）１５が挿入されている。パドル１５の軸体１５ａの上端はモータ１６の回転軸に固定されている。溶出処理部１０には、更に、先端が試験容器１４内に挿入される採取管１７と、該採取管１７を介して試験容器１４内の液体を吸引して上述の送液流路５０に送出するためのポンプ１８とを備えている。
【００２４】
溶出液測定部２０の構成の一例を図３に示す。この溶出液測定部２０は、光電変換素子アレイ（多数の光電変換素子を一列に配置した受光器）を用いて複数の波長を同時に測光する同時測光型分光光度計から成るものである。溶出液測定部２０にはフローセル２３が設けられており、送液流路５０を介して溶出処理部１０から送られてきた溶出液は該フローセル２３の内部を通過する。溶出液測定部２０の光源２１で生成された白色光は、集光レンズ２２で集光され、フローセル２３を流れる溶出液を透過して入口スリット２４に投射される。ここで白色光は前記溶出液を透過する際、該溶出液に含まれる成分に特有の波長で吸収を受ける。入口スリット２４を通過した白色光は分光素子（グレーティング）２５により波長分散され、光電変換素子アレイ（ＰＤＡ検出器）２６により波長毎の強度が測定される。ＰＤＡ検出器２６は、アナログ検出信号を所定のサンプリング周期でサンプリングしてデジタル値に変換するＡ／Ｄ変換器２７に接続されており、Ａ／Ｄ変換器２７はデジタル化された検出信号を制御／処理部３０に送出する。
【００２５】
制御／処理部３０の構成の一例を図４に示す。制御／処理部３０の実態は、パーソナルコンピュータ等のコンピュータであり、中央演算処理装置であるＣＰＵ（Central Processing Unit）３１にメモリ３２、ＬＣＤ（Liquid Crystal Display）等から成るモニタ（表示部）３３、キーボードやマウス等から成る入力部３４、ＨＤＤ（Hard Disk Drive）やＳＳＤ（Solid State Drive）等の大容量記憶装置から成る記憶部４０が互いに接続されている。記憶部４０には、ＯＳ（Operating System）４１、溶出処理部１０及び溶出液測定部２０の動作を制御するための溶出試験装置制御プログラム４２、及び前記Ａ／Ｄ変換器２７から送出された検出信号を処理するためのスペクトルデータ処理プログラム４３が記憶されると共にスペクトルセット記憶部４４が設けられている。制御／処理部３０は、更に、外部装置との直接的な接続や、外部装置等とのＬＡＮ（Local Area Network）などのネットワークを介した接続を司るためのインターフェース（Ｉ／Ｆ）３５を備えており、該Ｉ／Ｆ３５よりネットワークケーブルＮＷ（又は無線ＬＡＮ）を介して溶出処理部１０及び溶出液測定部２０に接続されている。
【００２６】
スペクトルセット記憶部４４には、試料成分の同定に用いるデータとして、図５に示すような同定テーブルが記憶されている。この同定テーブルには、複数の既知成分についてそれぞれ複数の濃度で取得された吸収スペクトルである標準スペクトルが登録されている。なお、図５では各標準スペクトルの名称のみを示しているが、実際にはそれぞれが横軸を波長とし、縦軸を吸光度とする吸収スペクトルのデータである。ここでは一例として２つの既知成分（成分Ａ及び成分Ｂ）について、それぞれ５種類の濃度（1 ppm, 10 ppm, 100 ppm, 500 ppm, 及び1000 ppm）での吸収スペクトルが登録された同定テーブルを示すが、登録する既知成分の数及び濃度の数はこれに限定されるものではない。この例において、成分Ａについて登録された５種類の標準スペクトル（図５中のＡ1、Ａ10、Ａ100、Ａ500、及びＡ1000）のセットが該成分Ａに関するスペクトルセット（スペクトルセットＡとよぶ）であり、成分Ｂについて登録された５種類の標準スペクトル（図５中のＢ1、Ｂ10、Ｂ100、Ｂ500、及びＢ1000）のセットが該成分Ｂに関するスペクトルセット（スペクトルセットＢとよぶ）である。
【００２７】
なお、本実施形態では制御／処理部３０内にスペクトルセット記憶部４４を格納するものとしたが、これに限らず、スペクトルセット記憶部４４は、Ｉ／Ｆ３５を介して制御／処理部３０に直接接続された外部装置に格納してもよい。また、制御／処理部３０をＩ／Ｆ３５を介してインターネット等のコンピュータネットワークに接続し、該ネットワーク上のサーバ等にスペクトルセット記憶部４４を格納してもよい。
【００２８】
図４においては、スペクトルデータ処理プログラム４３に係るように、大きさ特定部４５、スペクトル抽出部４６、及び類似度算出部４７が示されている。これはいずれも基本的にはＣＰＵ３１がスペクトルデータ処理プログラム４３をメモリ３２に読み出して実行することによりソフトウエア的に実現される機能手段である。なお、スペクトルデータ処理プログラム４３は必ずしも単体のプログラムである必要はなく、例えば溶出試験装置制御プログラム４２の一部に組み込まれた機能であってもよく、その形態は特に問わない。
【００２９】
本実施形態に係る溶出試験システムを用いた溶出試験は次のような手順で行われる。まず、貯水槽１１に水を溜め、試験容器１４を貯水槽１１の容器保持口１１ａにセットし、その試験容器１４に、試験錠剤１９を溶解させる溶媒を規定量だけ入れる。次に、試験担当者（ユーザ）が、制御／処理部３０に設けられた入力部３４を所定の方法で操作することにより、試験の開始を指示すると、制御／処理部３０はヒータ１２及びモータ１６への通電を開始する。ここで、モータ１６への通電量は、パドル１５が軸体１５ａを中心として規定の速度で回転するように予め定められている。一方、ヒータ１２への通電量は、温度センサ１３の出力信号に基づいて求められる水温が規定範囲内で維持されるように、制御／処理部３０によりフィードバック制御される。このようにヒータ１２へ通電しつつ、制御／処理部３０は上記のように求められた水温を表示部３３に表示する。水温が規定範囲内で安定したことを確認したら、ユーザが試験容器１４に試験錠剤１９を投入すると共に、入力部３４で所定の操作を行うことにより、制御／処理部３０に経過時間のカウント開始を指示する。
【００３０】
前記経過時間のカウントが開始されると、その後、制御／処理部３０は所定のタイミングで（例えば予め定められた時間おきに）ポンプ１８を駆動し、試験容器１４内の液体（溶出液）を所定量だけ試験容器１４から採取して溶出液測定部２０のフローセル２３に送出する。そして、採取した溶出液がフローセル２３内に存在しているタイミングで測定を行うよう、制御／処理部３０が溶出液測定部２０を制御する。これにより、溶出液測定部２０では該溶出液を透過した光が回折格子２５で分光された上でＰＤＡ検出器２６にて波長毎に検出される。そして、その検出信号がＡ／Ｄ変換器２７を介して制御／処理部３０に入力される。
【００３１】
以上により得られた検出信号は、溶出液を透過した光の波長及び強度の情報を含んでいる。制御／処理部３０では、上記の検出信号を基に、横軸に波長を、縦軸に吸光度をとった吸収スペクトルを作成する。なお、前記溶出液には試験錠剤１９から溶出した複数の成分が混在していると考えられるため、制御／処理部３０では、多変量解析によって前記吸収スペクトルを成分毎の吸収スペクトルに分離し、得られた複数の吸収スペクトルのうちの一つを目的スペクトルＵとして以降の処理に使用する。なお、目的スペクトルＵは前記複数の吸収スペクトルの中からユーザが任意のものを選択するようにしてもよく、あるいは予め定められた条件を満たす吸収スペクトルを装置側で自動的に目的スペクトルＵとして選択するようにしてもよい。
【００３２】
続いて、スペクトルデータ処理プログラム４３が、前記目的スペクトルＵのスペクトルパターンに基づいて該目的スペクトルＵに対応する成分を同定する。この同定処理の手順について図６のフローチャートを参照しつつ説明する。
【００３３】
まず、大きさ特定部４５が前記目的スペクトルＵの大きさ||Ｕ||として該スペクトルＵ上の所定の波長範囲における信号強度の最大値を特定する（ステップＳ２０１）。なお、前記所定の波長範囲は、例えばＰＤＡ検出器２６による測定波長範囲の全域や、予めユーザが指定した波長範囲等とすることができる。また、ここでは目的スペクトルＵ上の所定の波長範囲における信号強度の最大値を該スペクトルの大きさ||Ｕ||と定義したが、これに限らず、例えば所定の波長範囲における目的スペクトルＵの面積値、又は目的スペクトルＵの内積の平方根等を該スペクトルの大きさ||Ｕ||としてもよい。
【００３４】
続いて、スペクトル抽出部４６がスペクトルセット記憶部４４に記憶された各スペクトルセットの中からステップＳ２０１で求められた目的スペクトルＵの大きさ||Ｕ||に最も近い大きさを有する標準スペクトルを抽出する（ステップＳ２０２）。具体的には、まず上述のスペクトルセットＡに含まれる５つの標準スペクトルＡ1、Ａ10、Ａ100、Ａ500、及びＡ1000について、それぞれ該スペクトルの大きさ||Ａ1||、||Ａ10||、||Ａ100||、||Ａ500||、及び||Ａ1000||を特定する。なお、ここで、「スペクトルの大きさ」は、前記ステップＳ２０１における「スペクトルの大きさ」と同様の方法で求めるものとする。すなわちステップＳ２０１で所定の波長範囲における信号強度の最大値を目的スペクトルＵの大きさとした場合には、本ステップにおいても同一の波長範囲における信号強度の最大値を各標準スペクトルの大きさとする。また、ステップＳ２０１で所定の波長範囲におけるスペクトルの面積を目的スペクトルＵの大きさとした場合には、本ステップにおいても同一の波長範囲におけるスペクトルの面積を各標準スペクトルの大きさとする。そして、上記の標準スペクトルＡ1、Ａ10、Ａ100、Ａ500、及びＡ1000の中で前記目的スペクトルＵと大きさが最も近かったもの（例えば、標準スペクトルＡ100）を後述の類似度算出に使用する標準スペクトルとして決定する。同様に、スペクトルセットＢに含まれる５つの標準スペクトルＢ1、Ｂ10、Ｂ100、Ｂ500、及びＢ1000について、それぞれ該スペクトルの大きさ||Ｂ1||、||Ｂ10||、||Ｂ100||、||Ｂ500||、及び||Ｂ1000||を特定し、前記目的スペクトルＵと大きさが最も近かったもの（例えば、標準スペクトルＢ500）を後述の類似度算出に使用する標準スペクトルとして決定する。
【００３５】
次に、類似度算出部４７が、ステップＳ２０２で各スペクトルセットから抽出された標準スペクトル（上記の例では標準スペクトルＡ100と標準スペクトルＢ500）のそれぞれを目的スペクトルＵと比較することにより、目的スペクトルＵと各標準スペクトルとのスペクトルパターンの類似度をそれぞれ算出する（ステップＳ２０３）。ここで、類似度の算出方法としては、例えば、特許文献２に記載されている方法を用いることができる。すなわち、スペクトル中のｎ種類の波長λｋ（ｋは１〜ｎの整数）における強度Ｉｋを成分とするｎ次元ベクトルを定義し、目的スペクトルＵにより定義されるｎ次元ベクトルと標準スペクトルにより定義されるｎ次元ベクトルとの内積を両ベクトルの大きさの積で除したもの（すなわち両ベクトルの成す角θの余弦）をスペクトル類似度ｒ（＝cosθ）として定める。両スペクトルが完全に一致した場合にスペクトル類似度ｒは１となり、２つのベクトルの成す角θが大きくなるほど、すなわち２つのスペクトルパターンの差異が大きくなるほど、類似度ｒ（＝cosθ）はゼロに近づくこととなる。
【００３６】
以上により、目的スペクトルＵと各標準スペクトルとの類似度が算出されると、その結果が表示部３３の画面上に表示される（ステップＳ２０４）。例えば、上記類似度算出の結果、標準スペクトルＡ100と目的スペクトルＵとの類似度の値ｒＡの方が、標準スペクトルＢ500と目的スペクトルＵとの類似度の値ｒＢよりも大きかった場合、目的スペクトルＵに対応する成分の第１候補として成分Ａが、第２候補として成分Ｂが、それぞれ類似度ｒＡ、ｒＢの値と共に表示部３３に表示される。
【００３７】
以上のように、本実施形態に係るスペクトルデータ処理装置では、各既知成分に関するスペクトルセットの中で目的スペクトルＵに最も大きさが近いものを使用して類似度算出を行う。スペクトルの大きさは該スペクトルが取得された際の試料の濃度に依存するため、このように大きさの近いスペクトル同士を比較することにより、濃度の違いによるスペクトル形状の変動の影響を抑えて確度の高いスペクトルパターン比較を行うことができる。そのため、仮に成分Ａと成分Ｂのスペクトルパターン同士が似通っている場合でも、正確に同定処理を行うことができる。
【００３８】
［実施形態２］
次に、本発明に係るスペクトルデータ処理装置の別の実施形態について説明する。図７は、本発明の第２の実施形態に係る溶出試験システムにおける制御／処理部１３０（本発明におけるスペクトルデータ処理装置に相当）の概略構成図である。なお、システム全体の構成、並びに溶出処理部１０及び溶出液測定部２０の構成は、図１〜図３で示したものと同様であるため説明を省略する。また、図７に示した各構成要素のうち、既に説明した図４と同一又は対応するものについては下二桁が共通する符号を付し、適宜説明を省略する。
【００３９】
本実施形態における制御／処理部１３０では、スペクトルデータ処理プログラム１４３によって実行される同定処理の内容が第１実施形態におけるものと異なっている。すなわち、本実施形態では、まず前記スペクトルセットに含まれる種々の濃度における標準スペクトルに基づいて既知成分の任意の濃度におけるスペクトル（推定スペクトル）を求める。そして、該推定スペクトルの大きさが同定対象である目的スペクトルＵの大きさと等しくなる濃度を求める。その後、該濃度における前記既知成分のスペクトルを前記推定スペクトルから導出し、これを目的スペクトルＵとの類似度計算に使用する。こうした処理を実現するための機能ブロックとして、図７では、スペクトルデータ処理プログラム１４３に係るように、大きさ特定部１４５、比較対象スペクトル生成部１４８（本発明におけるスペクトル作成手段に相当）、及び類似度算出部１４７が示されている。
【００４０】
以下、本実施形態の制御／処理部１３０における同定処理の手順について図８のフローチャートを参照しつつ説明を行う。
【００４１】
まず、上述の第１実施形態と同様に、スペクトルデータ処理プログラム１４３が溶出液測定部２０から入力された検出信号を基に目的スペクトルＵを生成し、大きさ特定部１４５が前記目的スペクトルＵの大きさ||Ｕ||を特定する（ステップＳ３０１）。
【００４２】
次に、比較対象スペクトル生成部１４８が、スペクトルセット記憶部１４４に記憶された各既知成分のスペクトルセットを読み出し、それに基づいて各既知成分の任意の濃度における推定スペクトルを導出する（ステップＳ３０２）。
【００４３】
例えば、成分Ａのｎ個の波長λ１、λ２、…λｎでの吸光度をそれぞれＡ（λ１）、Ａ（λ２）、…Ａ（λｎ）とすると、これらの吸光度は、種々の濃度の成分Ａに関する複数の標準スペクトルにおける各波長λ１、λ２、…λｎでの吸光度をそれぞれ二次式で最小二乗近似することにより以下のように表すことができる。
Ａ（λ１）＝ａ１ｘ２＋ｂ１ｘ＋ｃ１
Ａ（λ２）＝ａ２ｘ２＋ｂ２ｘ＋ｃ２
…
Ａ（λｎ）＝ａｎｘ２＋ｂｎｘ＋ｃｎ
更に、任意の濃度ｘにおける成分Ａの吸収スペクトル（推定スペクトル）は、上記のｎ個の波長における吸光度Ａ（λ１）、Ａ（λ２）、…Ａ（λｎ）を成分とするベクトルＡ（ｘ）＝［Ａ（λ１）、Ａ（λ２）、…Ａ（λｎ）］で表すことができる。
そして、上記の係数ａ１、ａ２、…ａｎを成分とするベクトルをα２とし、上記の係数ｂ１、ｂ２、…ｂｎを成分とするベクトルをα１、上記の係数ｃ１、ｃ２、…ｃｎを成分とするベクトルをα０とすると、前記推定スペクトルＡ（ｘ）は次のように表すことができる。
Ａ（ｘ）＝α２ｘ２＋α１ｘ＋α０
【００４４】
なお、推定スペクトルＡ（ｘ）の求め方は上記に限らず、例えば、最小二乗法によって三次以上の多項式に近似することで求めてもよい。また、推定スペクトルＡ（ｘ）を一次補間により求めるようにしてもよい。
【００４５】
続いて、比較対象スペクトル生成部１４８が、前記推定スペクトルＡ（ｘ）に基づいて、成分Ａのスペクトルの大きさが目的スペクトルＵの大きさ||Ｕ||と等しくなるような濃度ｘｕ１における成分ＡのスペクトルＡ（ｘｕ１）を求める（すなわち、||Ａ（ｘｕ１）||＝||Ｕ||）（ステップＳ３０３）。そして、類似度算出部１４７が、このスペクトルＡ（ｘｕ１）を比較対象スペクトルとして目的スペクトルＵとの類似度を算出する（ステップＳ３０４）。
【００４６】
同様に、成分ＢについてもステップＳ３０２において推定スペクトルＢ（ｘ）が求められ、更に、ステップＳ３０３において、該推定スペクトルＢ（ｘ）に基づいて、成分Ｂのスペクトルの大きさが目的スペクトルＵの大きさ||Ｕ||と等しくなるような濃度ｘｕ２における成分ＢのスペクトルＢ（ｘｕ２）が求められる（すなわち||Ｂ（ｘｕ２）||＝||Ｕ||）。そして、ステップＳ３０４においてこのスペクトルＢ（ｘｕ２）を比較対象スペクトルとして目的スペクトルＵとの類似度が算出される。
【００４７】
以上により、目的スペクトルＵと比較対象スペクトルであるスペクトルＡ（ｘｕ１）、Ｂ（ｘｕ２）との類似度が算出されると、その結果が表示部の画面上に表示される（ステップＳ３０５）。例えば、上記類似度算出の結果、スペクトルＡ（ｘｕ１）と目的スペクトルＵとの類似度の値ｒＡの方が、スペクトルＢ（ｘｕ２）と目的スペクトルＵとの類似度の値ｒＢよりも大きかった場合、目的スペクトルＵに対応する成分の第１候補として成分Ａが、第２候補として成分Ｂが、それぞれ類似度ｒＡ、ｒＢの値と共に表示部１３３に表示される。
【００４８】
以上のように、本実施形態に係るスペクトルデータ処理装置では、各既知成分Ａ、Ｂに関するスペクトルセットから目的スペクトルＵと大きさが等しい比較対象スペクトルＡ（ｘｕ１）、Ｂ（ｘｕ２）を生成し、これらの比較対象スペクトルと目的スペクトルＵとの類似度算出を行う。スペクトルの大きさは該スペクトルが取得された際の試料の濃度に依存するため、このように大きさの等しいスペクトル同士を比較することにより、濃度の違いによるスペクトル形状の変動の影響を抑えて確度の高いスペクトルパターン比較を行うことができる。従って、仮に成分Ａと成分Ｂのスペクトルパターン同士が似通っている場合でも、正確に同定処理を行うことができる。
【００４９】
また、本実施形態に係る制御／処理部１３０では、目的スペクトルＵに基づいて前記溶出液中における該目的スペクトルに対応する成分（目的成分）の定量を行うことができる。これを実現するための機能ブロックとして図７には、スペクトルデータ処理プログラム１４３に係るように目的成分定量部１４９（本発明における濃度推定手段に相当）が示されている。
【００５０】
例えば、上記類似度算出の結果、目的スペクトルＵは成分Ａに由来するものであると同定された場合、目的成分定量部１４９は、次の方法で前記溶出液中における成分Ａの濃度を算出する。すなわち、上述の任意の濃度ｘにおける成分Ａの推定スペクトルＡ（ｘ）の大きさが目的スペクトルＵの大きさ||Ｕ||と等しい大きさになるような成分Ａの濃度ｘｕ１を求め（実際には、この濃度ｘｕ１は上述のステップＳ３０３で既に求められているため、改めて算出し直す必要はない）、この濃度ｘｕ１を前記溶出液中における成分Ａの濃度とする。
【００５１】
あるいは、目的スペクトルＵと前記推定スペクトルＡ（ｘ）の差分スペクトルＤ（ｘ）＝Ａ（ｘ）−Ｕの大きさが最小となるような成分Ａの濃度ｘｕ１’を求め、この濃度ｘｕ１’を前記溶出液中における成分Ａの濃度としてもよい。
【００５２】
以上のような定量方法によれば、従来のように、目的成分のクロマトグラムを取得して該クロマトグラフ上のピークの面積や高さから目的成分を定量するという作業が不要となる。そのため、カラムによる試料の分離を行う必要がなく、試料の分析に要する時間を短縮することができる。
【００５３】
以上、本発明を実施するための形態について説明を行ったが、本発明は上記実施例に限定されるものではなく、本発明の主旨の範囲で適宜変更が許容される。例えば、上記実施形態では溶出液測定部２０を分光光度計によって構成したが、これに変えて液体クロマトグラフ（ＨＰＬＣ）を用いるようにしてもよい。この場合の溶出液測定部の構成を図９に示す。この溶出液測定部６０は、移動相容器６１、送液ポンプ６２、インジェクタ６３、カラム６４、及び検出器６５を含んでいる。送液ポンプ６２により移動相容器６１から吸引された移動相は一定流量でカラム６４に送られる。インジェクタ６３には上述の溶出処理部１０から送液流路５０を介して溶出液が与えられ、インジェクタ６３はその所定量を移動相の流れに注入する。移動相に乗ってカラム６４に送り込まれた溶出液はカラム６４を通過する間に成分分離され、時間的にずれてカラム６４から出て検出器６５に到達する。検出器６５は、例えば図３で示したようなＰＤＡ検出器を備えた分光光度計、又は高速での波長走査が可能な分光光度計であり、カラム６４から順次流れ出た成分をこの検出器６５で検出することにより、測定対象の溶出液について、時間、吸光度、及び波長をそれぞれ軸とする３次元データが取得される。検出器６５による検出信号はＡ／Ｄ変換器６６を経て制御／処理部３０（又は１３０）に送出される。
【００５４】
図１０は、上述した液体クロマトグラフにより得られる３次元データの概念図である。この３次元データから特定の波長（例えばλ0）における時間方向の吸光度データを抽出することで、その特定の波長λ0における測定時刻（つまりは保持時間）と吸光度との関係を示す、同図（ｂ）に示すような波長クロマトグラム（以下、単に「クロマトグラム」という）を作成することができる。また、３次元データから特定の時点（測定時刻）における波長方向の吸光度を示すデータを抽出することで、該時点における波長と吸光度との関係を示す波長スペクトル（以下、単に「スペクトル」という）を作成することができる。すなわち、図１０に示すような３次元データは、波長方向にスペクトル情報を、時間方向にクロマトグラム情報を有しているということができる。
【００５５】
上記のような液体クロマトグラフを備えた溶出試験システムでは、前記３次元データに基づき、制御／処理部３０（又は１３０）において、まずクロマトグラムが作成される。このとき、作成するクロマトグラムの種類は特に限定されるものではなく、例えば、予め指定された波長について各保持時間における信号強度をプロットしたものや、予め指定された複数の波長又は波長範囲について各保持時間における信号強度の合計値又は平均値をプロットしたものとすることができる。また、前記複数の波長又は波長範囲の中で各保持時間における最大の信号強度をプロットしたもの（いわゆるマックスプロット）であってもよい。
【００５６】
続いて、制御／処理部３０（又は１３０）は、前記クロマトグラム上に存在するピークのうちスペクトル切り出しの対象とするピーク（目的ピーク）を決定する。このとき、前記クロマトグラム上に現れる複数のピークの中から所定の条件を満たすピーク（例えば強度が最大のピーク）を装置側で自動的に選択するものとしてもよく、あるいは、前記クロマトグラムを表示部３３（又は１３３）に表示させ、ユーザに入力部３４（又は１３４）を介して該クロマトグラム上の任意のピークを選択させるものとしてもよい。
【００５７】
その後、前記３次元データから、前記クロマトグラム上で前記目的ピークが現れている時間範囲のうちの所定の時刻（典型的にはピークトップの時刻）におけるスペクトルを切り出すことにより目的スペクトルＵが生成される。そして、それ以降は、スペクトルデータ処理プログラム４３（又は１４３）によって、上記の実施形態１又は実施形態２と同様の手順により、該目的スペクトルＵに相当する成分の同定や定量処理が行われる。
【００５８】
但し、この方法では、目的ピークの時間範囲に複数の成分（例えば主成分と副成分）が溶出していた場合には、得られる目的スペクトルも主成分のスペクトルと副成分のスペクトルとが重畳したものとなってしまい、正しい同定結果や定量結果が得られないおそれがある。また、こうした試料中の複数の成分のほか、溶媒成分や、予期せぬドリフト又はノイズ（溶媒中の気泡やカラムオーブンの不調等によるもの）に起因するピーク（以下、不純物ピークと総称する）が前記目的ピークの時間範囲に重畳していた場合も、同様に正しいスペクトル同定結果やライブラリ検索結果が得られないおそれがある。そこで、前記３次元データについて予めピーク分離処理を行うことにより試料中の個々の成分についての３次元データを生成し、生成された複数の３次元データのうちのいずれか（例えば、ユーザが選択した３次元データや、ピーク強度が最大である３次元データ）に対して、上記のような目的ピークの決定及び目的スペクトルの切り出しを行うようにすることが望ましい。これにより、単一成分に由来する信号のみから成る目的スペクトルを確実に得ることができ、該目的スペクトルを用いることで正確な同定結果を得ることができる。なお、上記のピーク分離処理の手法としては、既に別出願（ＰＣＴ／ＪＰ２０１４／０７３１９６）で提案しているピークデコンボリューション（peak deconvolution）を用いた方法などを採用することができる。
【００５９】
また、本発明に係るスペクトルデータ処理装置及びスペクトルデータ処理方法は、溶出試験以外で取得した試料についてＨＰＬＣによる分析や分光光度計への直接導入による分析を行うことで得られたスペクトルの処理にも同様に適用することができる。
【符号の説明】
【００６０】
１０…溶出処理部
１４…試験容器
１５…パドル
１６…モータ
１７…採取管
１８…ポンプ
１９…試験錠剤
２０…溶出液測定部
２１…光源
２３…フローセル
２５…回折格子
２６…ＰＤＡ検出器
３０、１３０…制御／処理部
４０、１４０…記憶部
４３、１４３…スペクトルデータ処理プログラム
４４、１４４…スペクトルセット記憶部
４５、１４５…大きさ特定部
４６…スペクトル抽出部
４７、１４７…類似度算出部
１４８…比較対象スペクトル生成部
１４９…目的成分定量部
５０…送液流路
【図１】
2017201241.tif 000003
【図２】
2017201241.tif 000004
【図３】
2017201241.tif 000005
【図４】
2017201241.tif 000006
【図５】
2017201241.tif 000007
【図６】
2017201241.tif 000008
【図７】
2017201241.tif 000009
【図８】
2017201241.tif 000010
【図９】
2017201241.tif 000011
【図１０】
2017201241.tif 000012
【図１１】
2017201241.tif 000013